(57)【要約】  複数の細長い部材を互いに間隔を空けて配策および保護するためのテキスタイルスリーブが提供される。スリーブはスリーブの両端間を長手方向に延在する撚り合わされた繊維の単一部材の一体化された壁を含む。壁は周方向に連続する、両端間で長手方向に延在する複数の管状壁セクションを含むと共に、隣接する管状壁セクションは介在単層セクションによって横方向に離れて固定される。各管状壁セクション内の繊維のうちの少なくともいくつかは熱収縮可能な繊維として提供され、これにより各管状壁セクションを、第１の径方向に拡大された組立状態から第２のそのなかに含まれた対応する細長い部材の周りに径方向に絞られた状態に熱収縮可能に提供する。
2019533773.tif 000002
【特許請求の範囲】
【請求項１】
細長い部材を配策および保護するためのテキスタイルスリーブであって、
単一部材の前記スリーブの両端間を長手方向に延在する撚り合わされた繊維の一体化された壁を備え、前記壁は周方向に連続する、前記両端間を長手方向に延在する複数の管状壁セクションを含み、隣接する管状壁セクションは介在単層セクションによって横方向に離れて固定され、各前記管状壁セクション内の前記繊維のうちの少なくともいくつかは熱収縮可能な繊維であり、各前記管状壁セクションは第１の径方向に拡大された組立状態から第２のそのなかに含まれた対応する細長い部材の周りに径方向に絞られた状態に熱収縮可能である、テキスタイルスリーブ。
【請求項２】
前記壁は前記スリーブの両端間を長手方向に延在する縦糸と前記縦糸に対してほぼ横向きに延在する緯糸とを用いて織られ、前記緯糸のうちの少なくともいくつかは前記熱収縮可能な繊維として提供される、請求項１に記載のテキスタイルスリーブ。
【請求項３】
前記緯糸の全体は熱収縮可能な繊維である、請求項２に記載のテキスタイルスリーブ。
【請求項４】
前記緯糸は熱収縮不能なマルチフィラメント繊維を含む、請求項２に記載のテキスタイルスリーブ。
【請求項５】
前記縦糸は熱収縮不能なマルチフィラメントおよび／またはモノフィラメントを含む、請求項２に記載のテキスタイルスリーブ。
【請求項６】
前記縦糸の全体は熱収縮不能なマルチフィラメントおよび／またはモノフィラメントを含む、請求項５に記載のテキスタイルスリーブ。
【請求項７】
周方向に連続する複数の前記管状壁セクションのうちの少なくとも１つは前記両端間で互いに並んで長手方向に延在する複数の別個のキャビティを含み、前記複数の別個のキャビティは、前記撚り合わされた繊維の壁によって互いに分離される、請求項１に記載のテキスタイルスリーブ。
【請求項８】
前記壁は緯編ステッチから緯編みされる、請求項１に記載のテキスタイルスリーブ。
【請求項９】
各管状壁セクション内の前記緯編ステッチのうちの少なくともいくつかは熱収縮不能なフィラメントを含む、請求項８に記載のテキスタイルスリーブ。
【請求項１０】
各管状壁セクション内の前記緯編ステッチの全体は熱収縮可能なフィラメントを含む、請求項８に記載のテキスタイルスリーブ。
【請求項１１】
複数の細長い部材を互いに間隔を空けて配策および保護するための細長いテキスタイルスリーブの構築方法であって、
繊維を撚り合わせて単一部材の一体化された壁を形成することと、
周方向に連続する、前記両端間で長手方向に延在する複数の管状壁セクションを含む前記壁を形成することと、
隣接する管状壁セクション間に介在単層セクションを形成して、前記隣接する管状壁セクションを横方向に互いに間隔を空けて維持することと、
各管状壁セクション内の前記繊維のうちの少なくともいくつかを熱収縮可能な繊維として撚り合わせることにより、各管状壁セクションを第１の径方向に拡大された組立状態から第２のそのなかに含まれた対応する細長い部材の周りに径方向に絞られた状態に熱収縮可能とすることとを備える、方法。
【請求項１２】
前記スリーブの両端間を長手方向に延在する縦糸を前記縦糸に対してほぼ横向きに延在する緯糸と織ることによって前記撚り合わせることを行うことをさらに含む、請求項１１に記載の方法。
【請求項１３】
前記緯糸の全体を熱収縮可能な繊維として織ることをさらに含む、請求項１２に記載の方法。
【請求項１４】
熱収縮不能なマルチフィラメント繊維を含む前記緯糸を織ることをさらに含む、請求項１２に記載の方法。
【請求項１５】
前記縦糸を熱収縮不能な繊維として織ることをさらに含む、請求項１２に記載の方法。
【請求項１６】
前記撚り合わせることを緯編処理において行うことをさらに含む、請求項１１に記載の方法。
【請求項１７】
各管状壁セクション内の前記編ステッチのうちの少なくともいくつかを熱収縮不能な繊維から形成することをさらに含む、請求項１６に記載の方法。
【請求項１８】
各管状壁セクション内の前記編ステッチの各々を熱収縮可能な繊維から形成することをさらに含む、請求項１６に記載の方法。
【請求項１９】
周方向に連続する複数の前記管状壁セクションのうちの少なくとも１つを前記両端間で互いに並んで長手方向に延在する複数の別個のキャビティを含んで形成することをさらに含む、請求項１１に記載の方法。
【請求項２０】
前記撚り合わされた繊維の壁によって前記キャビティを互いから分離することをさらに含む、請求項１９に記載の方法。
【発明の詳細な説明】
【技術分野】
【０００１】
関連出願の相互参照
本出願は、２０１６年１０月２８日付出願の米国特許仮出願第６２／４１４，５１８号、および２０１７年１０月２７日付出願の米国特許出願第１５／７９６，３３３号の利益を主張し、その全体が参照によりここに組み込まれる。
【０００２】
発明の背景
１．技術分野
この発明は、一般に細長い部材を保護するためのテキスタイルスリーブに関連し、より具体的には、スリーブに沿って長手方向に延在する複数のキャビティを有する収縮可能なスリーブに関する。
【背景技術】
【０００３】
２．関連技術
衝撃および摩擦、液体および熱の影響に対して細長い部材に保護を提供するために、さまざまな種類の配線、ワイヤハーネス、ケーブルおよび導管等の細長い部材を、織られ編まれたスリーブ内に含むことが知られている。複数の細長い部材を互いに沿って配策するときに、別個のスリーブの周りのラッピングテープ、タイストラップなどによって別個のスリーブを互いに固定することが一般的であり、これにより別個のスリーブの束およびそのなかに含まれた細長い部材を互いに固定して維持する。これはスリーブ／細長い部材を互いに束ねるために一般に有効であることがわかるが、それはそれらを一緒に束ねるために余分な労働およびコストを要する。さらに、テープ、タイストラップなどは時間経過により損傷され得、これにより別個のスリーブが互いから分離される可能性がある。さらには、テープ、タイストラップなどはかさばりおよび／または見苦しいとわかる。
【発明の概要】
【課題を解決するための手段】
【０００４】
発明の概要
本開示の１つの局面に従い、細長い部材を配策および保護するためのテキスタイルスリーブが提供される。スリーブはスリーブの両端間を長手方向に延在する単一部材である、撚り合わされた繊維の一体化された壁を含む。壁は周方向に連続する、両端間で長手方向に延在する複数の管状壁セクションを含み、隣接する管状壁セクションは介在単層セクションによって横方向に離れて固定される。各管状壁セクション内の繊維のうちの少なくともいくつかは熱収縮可能な繊維として提供され、これにより各管状壁セクションを第１の径方向に拡大された組立状態から第２のそのなかに含まれた対応する細長い部材の周りに径方向に絞られた状態に熱収縮可能であるように提供する。
【０００５】
本開示のさらに別の局面に従い、周方向に連続する複数の管状壁セクションの各々またはいくつかは両端間で互いに重畳し／下にあり／並んで長手方向に延在する複数の別個のキャビティを有して提供されることができ、複数の別個のキャビティは撚り合わされたフィラメントの壁によって互いに分離される２つ以上の別個のキャビティを含むことができる。
【０００６】
本開示の別の局面は複数の細長い部材を横方向に互いから離れて固定するために、別個の締結機構（たとえばテープ、タイストラップ、配線、紐）を要さずに、複数の細長い部材を互いに間隔を空けて配策および保護するための細長いテキスタイルスリーブを提供する。スリーブはスリーブの両端間を長手方向に延在する縦糸と縦糸に対してほぼ横方向の緯糸（複数可）を用いて織られた単一部材の一体化された壁を含む。壁は周方向に連続する、両端間で互いに長手方向に平行にまたは実質的に平行に延在する複数の管状壁セクションを含む（真の平行からのわずかな逸脱を含むことがここに意図され、このため管状壁セクションは互いに真の平行から蛇行し得るが、当業者には互いに平行であると一般に理解される）。隣接する管状壁セクションは織られた介在単層セクションによって横方向に離れて固定され、介在するセクション（複数可）は緯糸（複数可）とともに織られた複数の縦糸を含む。各管状壁セクション内の緯糸のうちの少なくともいくつかは熱収縮可能な繊維として提供され（適した熱源にさらされるとその長さの約１０〜６０％以上の範囲で収縮可能な繊維として当業者によって一般に知られる）、これにより各管状壁セクションが第１の径方向に拡大された組立状態から第２のそのなかに含まれた対応する細長い部材の周りに径方向に絞られた状態に熱収縮可能である。
【０００７】
本開示の別の局面に従い、スリーブ内の緯糸の全体は熱収縮可能な繊維として提供されることができる。
【０００８】
本開示の別の局面に従い、スリーブ内のいくつかの緯糸は熱収縮不能なマルチフィラメント繊維を含むことができ、これによりスリーブの被覆性、可撓性および柔軟性を高める。
【０００９】
本開示の別の局面に従い、縦糸の全体は熱収縮不能なマルチフィラメントおよび／またはモノフィラメントとして提供されることができ、これによりスリーブが長さにおいて収縮することを阻止し、またテキスタイル分野の当業者によって容易に理解されるように使用された材料に依存してスリーブに摩擦抵抗性、被覆性、可撓性、柔軟性、剛性といった強化された物理プロパティを提供する。
【００１０】
本開示の別の局面に従い、縦糸はＰＥＴ、ナイロン、ＰＰ、ＰＥ、ＰＰＳ、ＰＥＥＫ、およびＮｏｍｅｘのうちの少なくとも１つまたは複数として提供されることができる。
【００１１】
本開示の別の局面に従い、複数の細長い部材を互いに間隔を空けて配策および保護するための細長いテキスタイルスリーブは緯編ステッチで構築される単一部材の一体化された壁を含む。壁は周方向に連続する、両端間で互いに長手方向に平行にまたは実質的に平行に延在する複数の管状壁セクションを含む。隣接する管状壁セクションは編まれた介在単層セクションによって互いに横方向に離れて固定される。各管状壁セクション内の緯編ステッチのうちの少なくともいくつかは熱収縮可能な繊維から形成され、これにより各管状壁セクションが第１の径方向に拡大された組立状態から第２のそのなかに含まれた対応する細長い部材の周りに径方向に絞られた状態に熱収縮可能である。
【００１２】
本開示の別の局面に従い、各管状壁セクション内の編ステッチのうちの少なくともいくつかは熱収縮不能なマルチフィラメントおよび／またはモノフィラメントを含むことができ、これによりテキスタイル分野の当業者によって容易に理解されるように、使用された繊維材料の種類に依存して、摩擦抵抗性、被覆性、可撓性、柔軟性、剛性といった物理プロパティを高める。
【００１３】
本開示の別の局面に従い、編ステッチのうちの少なくともいくつかはＰＥＴ、ナイロン、ＰＰ、ＰＥ、ＰＰＳ、ＰＥＥＫ、およびＮｏｍｅｘの繊維から形成されることができる。
【００１４】
本開示の別の局面に従い、上述の織られたまたは編まれたスリーブのいずれかにおける周方向に連続する複数の管状壁セクションの各々またはいくつかは両端間で互いに上下して長手方向に延在する複数の別個のキャビティを有して形成されることができ、複数の別個のキャビティは対応する織られた／編まれた壁によって互いから分けられた２つ以上の別個のキャビティを含むことができる。
【００１５】
本開示のさらに別の局面に従い、複数の細長い部材を互いに間隔を空けて配策および保護するための細長いテキスタイルスリーブの構築方法が提供される。方法はスリーブの両端間を長手方向に延在する縦糸と縦糸に対してほぼ横向きに延在する緯糸とを用いて、スリーブを単一部材の一体化された壁として織ることを含む。方法は周方向に連続する、両端間で互いに長手方向に平行にまたは実質的に平行に延在する複数の管状壁セクションを含む壁を織ることをさらに含む。さらには、方法は隣接する管状壁セクション間の、複数の縦糸を含む、織られた介在単層セクションを織り、隣接する管状壁セクションを互いに所与の横方向に離れた関係に維持することを含む。方法は各管状壁セクション内の緯糸のうちの少なくともいくつかを熱収縮可能な繊維として織ることをさらに含み、これにより各管状壁セクションが第１の径方向に拡大された組立状態から第２のそのなかに含まれた対応する細長い部材の周りに径方向に絞られた固定された状態に熱収縮可能である。
【００１６】
本開示の別の局面に従い、方法は緯糸の全体を熱収縮可能な繊維として織ることを含むことができる。
【００１７】
本開示の別の局面に従い、方法は熱収縮不能なマルチフィラメントおよび／またはモノフィラメント繊維を含むいくつかの緯糸を織ることを含むことができる。
【００１８】
本開示の別の局面に従い、方法は縦糸を熱収縮不能なマルチフィラメントおよび／またはモノフィラメントとして織ることを含むことができる。
【００１９】
本開示の別の局面に従い、方法は縦糸をＰＥＴ、ナイロン、ＰＰ、ＰＥ、ＰＰＳ、ＰＥＥＫ、およびＮｏｍｅｘのうちの少なくとも１つまたは複数として織ることを含むことができる。
【００２０】
本開示のさらに別の局面に従い、複数の細長い部材を互いに間隔を空けて配策および保護するための細長いテキスタイルスリーブの構築方法はスリーブを単一部材の一体化された壁として緯編みすることを含む。方法は周方向に連続する、両端間で互いに長手方向に平行にまたは実質的に平行に延在する複数の管状壁セクションを含む壁を編むことをさらに含む。さらには、隣接する管状壁セクション間の介在単層セクションを編むことによって隣接する管状壁セクションを互いに所与の横方向に離れた関係に維持する。方法は各管状壁セクション内の繊維のうちの少なくともいくつかを熱収縮可能な繊維を用いて編むことをさらに含み、これにより各管状壁セクションが第１の径方向に拡大された組立状態から第２のそのなかに含まれた対応する細長い部材の周りに径方向に絞られた状態に熱収縮可能である。
【００２１】
本開示のさらに別の局面に従い、方法は両端間で互いに重畳し／下にあり／並んだ長手方向に延在する複数の別個のキャビティを有する周方向に連続する各またはいくつかの複数の管状壁セクションを織ることまたは編むことを含むことができ、複数の別個のキャビティは２つ以上の別個のキャビティを含むことができる。
【００２２】
図面の簡単な説明
これらおよび他の態様、特徴および利点は、現在好ましい実施形態の以下の詳細な説明および最良の形態、添付の特許請求の範囲、ならびに添付の図面を考慮すれば、当業者には容易に明らかになるであろう。
【図面の簡単な説明】
【００２３】
【図１】本開示の１つの局面に従い構築される、熱収縮されていない拡張された状態において示される管状の織られたスリーブの概略斜視図である。
【図１Ａ】熱収縮され絞られた状態において示される図１と同様の図である。
【図２】本開示の１つの局面に従いその内部に織られた繊維を示す図１のスリーブの壁の部分的概略断面図である。
【図３】本開示の別の１つの局面に従いその内部に織られた繊維を示す図１のスリーブの壁の拡大された部分的概略平面図である。
【図４】本開示の別の局面に従い構築される、熱収縮されていない拡張された状態において示される管状の編まれたスリーブの概略斜視図である。
【図４Ａ】熱収縮され絞られた状態において示される図４と同様の図である。
【図５】本開示の別の局面に従い構築される、熱収縮されていない拡張された状態において示されるスリーブの概略斜視図である。
【図５Ａ】熱収縮され絞られた状態において示される図５と同様の図である。
【図６】本開示の別の局面に従い構築される、熱収縮されていない拡張された状態において示されるスリーブの概略斜視図である。
【図６Ａ】熱収縮され絞られた状態において示される図６と同様の図である。
【図７】本開示の別の局面に従い構築される、熱収縮されていない拡張された状態において示されるスリーブの概略斜視図である。
【図７Ａ】熱収縮され絞られた状態において示される図７と同様の図である。
【発明を実施するための形態】
【００２４】
現在の好ましい実施形態の詳細な説明
図面をより詳細に参照して、図１は、本開示の１つの局面に従い構築され、以降ではスリーブ１０と称される織られた保護スリーブとして示される（マルチフィラメント（複数可）および／またはモノフィラメント（複数可）を含むフィラメント（複数可）とも称される）撚り合わされた繊維（複数可）の一体化された単一部材のスリーブを概略的に図示する。スリーブ１０は、スリーブ１０の両端１４，１６間で長手方向軸１７に沿って長手方向に延在する縦糸１３と縦糸１３に対してほぼ横方向の緯糸１５とを用いて織られた単一部材の一体化された壁１２から形成される。スリーブ１０を織るために使用される織パターンは所望のように選択され得、図３では限定することなく一例として平織パターンが示される。当業者は平織、ツイル織、サテン織（ｓａｔｉｎ）、朱子織（ｓａｔｅｅｎ）、バスケット織、およびその他といった異なる織パターンの意味を理解し、このため、縦糸１３と緯糸１５とが互いに上下に波打つ方法のさらなる説明を要さない。スリーブ１０は、両端１４，１６間で長手方向軸１７に平行に長手方向に延在する、周方向に連続する隔離された別個の管状壁セクション２０，２２，２４のキャビティ１９，２１，２３内に配置される保護されるべき複数の細長い部材１８とともに示される。隣接する管状壁セクション２０，２２は幅Ｗ１を有する単層介在セクション２６によって横方向に離れて固定され、隣接する管状壁セクション２２，２４は幅Ｗ２を有する単層介在セクション２８によって横方向に離れて固定される。各管状壁セクション２０，２２，２４内の緯糸１５のうちの少なくともいくつかまたはすべては熱収縮可能な繊維として提供され、これにより各管状壁セクション２０，２２，２４は第１の径方向に拡大された組立状態から（図１）第２のそのなかに含まれた対応する細長い部材１８の周りに径方向に絞られた状態（図１Ａ）へと熱収縮可能である。そのため、拡大された組立状態において、配線、ケーブル、導管等といった細長い部材１８は拡大されたキャビティ１９，２１，２３を通して容易に配置され得、そして熱収縮可能な緯糸１５を熱収縮すると、細長い部材は収縮されたキャビティ１９，２１，２３内でそれと共に軸方向に動くことに抗して保たれ、実質的に固定され、これによりスリーブ１０および細長い部材１８の比較的堅い、削減された外被組立を形成する。
【００２５】
縦糸１３は、ＰＥＴ、ナイロン、ＰＰ、ＰＥ、ＰＰＳ、ＰＥＥＫ、およびＮｏｍｅｘ材料繊維の少なくとも１つまたは複数のマルチフィラメントおよび／またはモノフィラメントとして提供されることができる。縦糸１３のデニールは、マルチフィラメントとして提供される場合、５０〜１００００の範囲であることができる。限定することなく一例として１２００デニールのＰＥＴといった比較的かさばるマルチフィラメントは増加されたロフトを提供し、衝撃力を緩衝することをさらに容易にしながら、スリーブ１０の柔軟性を高めることが見いだされる。縦密度、すなわち縦糸１３の端部の数は、意図される用途のために所望のように調節され得、高い密度は増加された衝撃抵抗を提供するが、「織られた組立状態」から「組み立てられた」収縮された状態への径方向の収縮比を小さくする傾向がある。
【００２６】
緯糸１５は完全に熱収縮可能な繊維として提供されることができ、これにより壁１２の収縮比容量を最大化し、または部分的に熱収縮可能な繊維および熱収縮不能な繊維として提供されることができ、これにより壁１２の保護シールド、柔軟性および衝撃緩衝プロパティを、特に熱収縮不能な繊維が比較的かさばるマルチフィラメント繊維として提供される場合に向上させる。提供される場合に、熱収縮可能な繊維および熱収縮不能な繊維はモノフィラメントおよび／またはマルチフィラメント繊維として提供されることができることが認識される。熱収縮可能な緯糸１５が収縮すると、個々の管状壁セクション２０，２２，２４は細長い部材１８を締めつけ、好ましくは係合し、補助固定機構を要することなく細長い部材１８とスリーブ１０との互いに対する相対移動を阻止し、これにより細長い部材１８をスリーブ１０に対して固定するためのクランプ、ストラップ、テープなどの必要性をなくす。さらには、熱収縮されると織られた壁１２は高密度化され、このため、とりわけ衝撃抵抗、摩擦抵抗、不透過性といった壁１２の保護属性は著しく増加される。加えて、管状壁セクション２０，２２，２４が細長い部材１８の周りにしっかりぴったりと嵌るようにされるので、スリーブ１０の厚さおよび外側寸法の外被は最小化され、これにより狭い領域で有用である。
【００２７】
用途に応じて、スリーブ１０は一対と少ないまたは所望される任意の数の別個の管状壁セクションを含んで形成されることができることが認識される。たとえば同じ数の縦糸１３を有する各介在セクション２６，２８を提供することによってなど、介在セクション２６，２８の幅Ｗ１、Ｗ２は同じに構築され得、これによりそれぞれの管状壁セクション２０，２２，２４を互いから等間隔に配置でき、および／またはたとえば異なる数の縦糸１３を有する各介在セクション２６，２８を提供することによってなど、意図される用途で必要とされるように、介在セクション２６，２８の幅Ｗ１、Ｗ２のうちの少なくともいくつかは互いから異ならされ得、これは、本明細書の開示を見れば、当業者によって容易に理解されるであろう。そのため、管状壁セクション２０，２２，２４は互いから等間隔にまたは異なって離されていても、補助締結機構を要さずに互いから所望の横方向に離れた関係に維持され得る。したがって、スリーブ１０は必要とされる用途のために特別に調整され得、互いから等間隔に離れていてもいなくても、単一のスリーブ１０の使用を介して細長い部材１８を高精度に互いから離れた関係に維持する。
【００２８】
図４および図４Ａでは、本開示の別の局面に従い構築され、以降ではスリーブ１１０と称される単一部材の編まれた保護スリーブが示され、１００だけずらした同じ参照番号が、同様の特徴を識別するために使用される。スリーブ１１０は、緯ステッチ１１５を用いて編まれた単一部材の一体化された壁１１２から形成される。スリーブ１１０は周方向に連続する、両端１１４，１１６間で長手方向に延在する隔離された別個の管状壁セクション１２０，１２２，１２４のキャビティ１１９，１２１，１２３内に配置される保護されるべき複数の細長い部材１１８を有して示される。隣接する管状壁セクション１２０，１２２は単層介在セクション１２６によって互いに横方向に離れて隔離され固定され、隣接する管状壁セクション１２２，１２４は単層介在セクション１２８によって互いに横方向に離れて隔離され固定される。各管状壁セクション１２０，１２２，１２４内の緯ステッチ１１５を形成する繊維のうちの少なくともいくつかまたはすべては熱収縮可能な繊維として提供され、これにより各管状壁セクション１２０，１２２，１２４が第１の径方向に拡大された組立状態から（図４）第２のそのなかに含まれた対応する細長い部材１１８の周りに径方向に絞られた完成された組み立てられた状態（図４Ａ）に熱収縮可能である。そのため、拡大された組立状態において、配線、ケーブル、導管等といった細長い部材１１８はキャビティ１１９，１２１，１２３を通して容易に配置され得、そして熱収縮可能な緯ステッチ１１５が熱収縮すると、細長い部材はキャビティ１１９，１２１，１２３内に保たれ、実質的に固定され、これによりスリーブ１１０および細長い部材１１８の比較的堅い、削減された外被組立を形成する。上述のように、意図される用途のために所望されるように、たとえばそれぞれの介在セクション１２６，１２８内に形成される緯編ステッチ１１５の大きさおよび／または数を変化させることによって、介在セクション１２６，１２８はそれぞれの管状壁セクション１２０，１２２，１２４間を延在する同じ幅Ｗ１、Ｗ２または異なる幅Ｗ１、Ｗ２を有して形成されることができることが認識される。したがって、細長い部材１１８を互いから異なる間隔を空けて配置することが望まれる場合には、介在セクション１２６，１２８の１つは介在セクション１２６，１２８の他方よりも多いまたは少ないおよび／または大きいまたは小さい緯編ステッチ１１５を有して形成されることができる。
【００２９】
図５および図５Ａでは、本開示の別の局面に従い構築され、以降ではスリーブ２１０と称される一体化された単一部材の保護スリーブが示され、２００だけずらした同じ参照番号が同様の特徴を識別するために使用される。スリーブ２１０は上述のような壁１２のための織られた壁構造または上述のような壁１１２のための編まれた壁構造の１つを有する単一部材の一体化された壁２１２として形成される。スリーブ２１０は周方向に連続する、両端２１４，２１６間で長手方向に延在する別個の管状壁セクション２２０，２２０’，２２２のキャビティ２１９，２１９’，２２１内に配置される保護されるべき複数の細長い部材２１８を有して示される。管状壁セクション２２０，２２０’と管状壁セクション２２２とは単層介在セクション２２６によって横方向に離れて固定され、直接隣接し重畳する管状壁セクション２２０，２２０’は単層介在セクション２７によって互いから分離され隔離される。管状壁セクション２２０，２２０’，２２２を形成する繊維のうちの少なくともいくつかまたはすべては熱収縮可能な繊維として提供され、これにより各管状壁セクション２２０，２２０’，２２２が第１の径方向に拡大された組立状態から（図５）第２のそのなかに含まれた対応する細長い部材２１８の周りに径方向に絞られた状態（図５Ａ）に熱収縮可能である。そのため、拡大された組立状態では、配線、ケーブル、導管等といった細長い部材２１８は個々のキャビティ２１９，２１９’，２２１を通して容易に配置され得、そして熱収縮可能な繊維が熱収縮すると、細長い部材は個々の隔離されたキャビティ２１９，２１９’，２２１内に保たれ、実質的に固定され、これによりスリーブ２１０および細長い部材２１８の比較的堅い、削減された外被組立を形成する。
【００３０】
図６および図６Ａでは、本開示の別の局面に従い構築され、以降ではスリーブ３１０と称される一体化された単一部材の保護スリーブが示され、３００だけずらした同じ参照番号が同様の特徴を識別するために使用される。スリーブ３１０は上述のような壁１２のための織られた壁構造、または上述のような壁１１２のための編まれた壁構造の１つを有する単一部材の一体化された壁３１２として形成される。スリーブ３１０は別個の周方向に連続する、両端３１４，３１６間で長手方向に延在する隔離された管状壁セクション３２０，３２０’，３２２，３２２’，３２４，３２４’のキャビティ３１９，３１９’，３２１，３２１’，３２３，３２３’内に配置される保護されるべき複数の細長い部材３１８を有して示される。管状壁セクション３２０，３２０’は管状壁セクション３２２，３２２’から単層介在セクション３２６によって横方向に離れ隔離されて固定され、管状壁セクション３２２，３２２’は管状壁セクション３２４，３２４’から単層介在セクション３２８によって横方向に離れ隔離されて固定される。直接隣接し重畳する管状壁セクション３２０，３２０’は単層介在セクション３２７によって互いに分離され、直接隣接し重畳する管状壁セクション３２２，３２２’は単層介在セクション２９によって互いに分離され、直接隣接し重畳する管状壁セクション３２４，３２４’は単層介在セクション３１によって互いに分離される。管状壁セクション３２０，３２０’，３２２，３２２’，３２４，３２４’を形成する繊維のうちの少なくともいくつかまたはすべては熱収縮可能な繊維として提供され、これにより各管状壁セクション３２０，３２０’，３２２，３２２’，３２４，３２４’が第１の径方向に拡大された組立状態から（図６）第２のそのなかに含まれた対応する細長い部材３１８の周りに径方向に絞られた状態（図６Ａ）に熱収縮可能である。そのため、拡大された組立状態では、配線、ケーブル、導管等といった細長い部材３１８はキャビティ３１９，３１９’，３２１，３２１’，３２３，３２３’を通して容易に配置され得、そして熱収縮可能な繊維が熱収縮すると、細長い部材３１８はキャビティ３１９，３１９’，３２１，３２１’，３２３，３２３’内に保たれ、実質的に固定され、これによりスリーブ３１０および細長い部材３１８の比較的堅い、削減された外被組立を形成する。
【００３１】
図７および図７Ａでは、本開示の別の局面に従い構築され、以降ではスリーブ４１０と称される一体化された単一部材の保護スリーブが示され、４００だけずらした同じ参照番号が、同様の特徴を識別するために使用される。スリーブ４１０は上述のような壁１２のための織られた壁構造、または上述のような壁１１２のための編まれた壁構造の１つを有する単一部材の一体化された壁４１２として形成される。スリーブ４１０は別個の周方向に連続する、両端４１４，４１６間で長手方向に延在する隔離された管状壁セクション４２０，４２２，４２２’，４２２’’，４２４のキャビティ４１９，４２１，４２１’，４２１’’，４２３内に配置される保護されるべき複数の細長い部材４１８を有して示される。管状壁セクション４２０は管状壁セクション４２２，４２２’，４２２’’から単層介在セクション４２６によって横方向に離れ隔離されて固定され、管状壁セクション４２２，４２２’，４２２’’は管状壁セクション４２４から単層介在セクション４２８によって横方向に離れ隔離されて固定される。直接隣接し重畳する管状壁セクション４２２，４２２’は単層介在セクション４２９によって互いに分離され、直接隣接し重畳する管状壁セクション４２２’，４２２’’は単層介在セクション４２９’によって互いに分離される。管状壁セクション４２０，４２２，４２２’，４２２’’，４２４を形成する繊維のうちの少なくともいくつかまたはすべては熱収縮可能な繊維として提供され、これにより各管状壁セクション４２０，４２２，４２２’，４２２’’，４２４が第１の径方向に拡大された組立状態から（図７）第２のそのなかに含まれた対応する細長い部材４１８の周りに径方向に絞られた状態（図７Ａ）に熱収縮可能である。そのため、拡大された組立状態では、配線、ケーブル、導管等といった細長い部材４１８はキャビティ４１９，４２１，４２１’，４２１’’，４２３を通して容易に配置され得、そして熱収縮可能な繊維が熱収縮すると、細長い部材４１８はキャビティ４１９，４２１，４２１’，４２１’’，４２３内に保たれ、実質的に固定され、これによりスリーブ４１０および細長い部材４１８の比較的堅い、削減された外被組立を形成する。
【００３２】
明らかに、上記の教示に照らして本発明の多くの修正および変形が可能である。そのような組み合わせが互いに矛盾しない限り、すべての請求項およびすべての実施形態のすべての特徴を互いに組み合わせることができると考えられる。したがって、添付の特許請求の範囲内で、本発明は具体的に記載されたものとは別の方法で実施されてもよいことが理解されるべきである。
【図１】
2019533773.tif 000003
【図１Ａ】
2019533773.tif 000004
【図２】
2019533773.tif 000005
【図３】
2019533773.tif 000006
【図４】
2019533773.tif 000007
【図４Ａ】
2019533773.tif 000008
【図５】
2019533773.tif 000009
【図５Ａ】
2019533773.tif 000010
【図６】
2019533773.tif 000011
【図６Ａ】
2019533773.tif 000012
【図７】
2019533773.tif 000013
【図７Ａ】
2019533773.tif 000014
【国際調査報告】
2019533773.tif 000015
2019533773.tif 000016
2019533773.tif 000017